(57)【特許請求の範囲】
【請求項１】
内容液を収容する容器の口部に固定されるシリンダと、該シリンダ内を上方付勢状態で上下に摺動可能なピストンを有するステムと、該ステムの上部に連結し、前記ステムを通じて吸い上げた内溶液をノズルから吐出させる押下げヘッドとを備える吐出ポンプにおいて、
前記押下げヘッドは、該押下げヘッドの押下げによって前記ステムから送り込まれる内溶液を加圧下に収容し、該収容した内溶液を前記押下げヘッドの上昇時に前記ノズルから吐出させる貯留室を備え、
前記押下げヘッドは、前記ステムに連結する下部ヘッドと、該下部ヘッドに形成された筒壁に対して下方付勢状態で上下に摺動可能なスライダとを備え、
前記下部ヘッドと前記スライダとによって前記貯留室が形成されていることを特徴とする吐出ポンプ。
【請求項２】
前記押下げヘッドは、該押下げヘッドの押下げ時に前記貯留室と前記ノズルとの連通を遮断する一方、前記押下げヘッドの上昇時に前記遮断を開放する開閉部を備える、請求項１に記載の吐出ポンプ。
【請求項３】
前記押下げヘッドは、前記ノズルを有し前記下部ヘッドに対して上下に移動可能に取り付けられる上部ヘッドを備え、
前記上部ヘッドは、前記ノズルに繋がる流路を取り囲む環状の弁座を有し、
前記下部ヘッドは、前記弁座に着座可能な弁体を有し、
前記上部ヘッドの前記弁座と前記下部ヘッドの前記弁体とによって前記開閉部が形成されている、請求項２に記載の吐出ポンプ。
【請求項４】
前記下部ヘッドは、前記貯留室に送り込まれた内溶液が前記ステムに逆流するのを阻止する逆止弁を備える、請求項３に記載の吐出ポンプ。
【請求項５】
前記押下げヘッドの上昇開始から上昇終了までの少なくとも前半は、前記上部ヘッドを前記下部ヘッドに固定して前記下部ヘッドの前記弁体が前記上部ヘッドの前記弁座に着座した状態を維持する一方、前記押下げヘッドの上昇終了までに前記固定を解除するロック部を有する、請求項３又は４に記載の吐出ポンプ。
【請求項６】
前記ロック部は、
前記上部ヘッドに設けられた周壁に揺動可能に支持された揺動レバーと、
前記周壁の内周側で前記下部ヘッドに設けられ、前記揺動レバーの一端側を係止可能な係止突起と、
前記シリンダに固定された補助筒に設けられ、前記周壁の外周側で上方に延びる外周壁と、
前記外周壁に設けられ、前記揺動レバーの他端側が乗り越え可能な係合突起とを備える、請求項５に記載の吐出ポンプ。
【請求項７】
前記ロック部は、
前記上部ヘッドに設けられた周壁の外周面に形成された段部と、
前記下部ヘッドに設けられ、前記周壁の下方で該周壁の内周側から外周側に向けて延びると共に上方への屈曲時に前記段部に係止される係止片と、
前記シリンダに固定された補助筒に設けられ、前記周壁の外周側で上方に延びると共に、上方に屈曲した前記係止片が摺動可能な外周壁とを備える、請求項５に記載の吐出ポンプ。
【発明の詳細な説明】
【技術分野】
【０００１】
本発明は、押下げヘッド式の吐出ポンプに関し、特に、吐出させた内溶液を両手で受け取れるようにするものである。
【背景技術】
【０００２】
従来、押下げヘッド式の吐出ポンプとして、例えば特許文献１に記載されるように、内容液を収容する容器の口部に固定されるシリンダと、該シリンダ内を上方付勢状態で上下に摺動可能なピストンを有するステムと、該ステムの上部に連結し、ステムを通じて吸い上げた内溶液をノズルから吐出させる押下げヘッドとを備えるものが知られている。
【先行技術文献】
【特許文献】
【０００３】
【特許文献１】特開２００８−１６２６７１号公報
【発明の概要】
【発明が解決しようとする課題】
【０００４】
特許文献１に記載されるような従来の吐出ポンプでは、押下げヘッドを片手で押下げたときに吐出される内溶液を反対側の手で受け止めることになる。しかしながら、例えばアルコール消毒液を吐出させる場合などに、一度に両手で内溶液を受け取れるようにできれば便利である。
【０００５】
本発明は、前記の課題を解決するために開発されたもので、吐出させた内溶液を両手で受け取れる押下げヘッド式の吐出ポンプを提供することを目的とする。
【課題を解決するための手段】
【０００６】
すなわち、本発明の要旨構成は以下のとおりである。
１．内容液を収容する容器の口部に固定されるシリンダと、該シリンダ内を上方付勢状態で上下に摺動可能なピストンを有するステムと、該ステムの上部に連結し、前記ステムを通じて吸い上げた内溶液をノズルから吐出させる押下げヘッドとを備える吐出ポンプにおいて、
前記押下げヘッドは、該押下げヘッドの押下げによって前記ステムから送り込まれる内溶液を加圧下に収容し、該収容した内溶液を前記押下げヘッドの上昇時に前記ノズルから吐出させる貯留室を備えることを特徴とする吐出ポンプ。
【０００７】
２．前記押下げヘッドは、該押下げヘッドの押下げ時に前記貯留室と前記ノズルとの連通を遮断する一方、前記押下げヘッドの上昇時に前記遮断を開放する開閉部を備える、前記１の吐出ポンプ。
【０００８】
３．前記押下げヘッドは、前記ステムに連結する下部ヘッドと、前記ノズルを有し前記下部ヘッドに対して上下に移動可能に取り付けられる上部ヘッドとを備え、
前記上部ヘッドは、前記ノズルに繋がる流路を取り囲む環状の弁座を有し、
前記下部ヘッドは、前記弁座に着座可能な弁体を有し、
前記上部ヘッドの前記弁座と前記下部ヘッドの前記弁体とによって前記開閉部が形成されている、前記２の吐出ポンプ。
【０００９】
４．前記押下げヘッドは、前記下部ヘッドに形成された筒壁に対して下方付勢状態で上下に摺動可能なスライダを備え、
前記下部ヘッドと前記スライダとによって前記貯留室が形成されている、前記３の吐出ポンプ。
【００１０】
５．前記下部ヘッドは、前記貯留室に送り込まれた内溶液が前記ステムに逆流するのを阻止する逆止弁を備える、前記３又は４の吐出ポンプ。
【００１１】
６．前記押下げヘッドの上昇開始から上昇終了までの少なくとも前半は、前記上部ヘッドを前記下部ヘッドに固定して前記下部ヘッドの前記弁体が前記上部ヘッドの前記弁座に着座した状態を維持する一方、前記押下げヘッドの上昇終了までに前記固定を解除するロック部を有する、前記３〜５のいずれかの吐出ポンプ。
【００１２】
７．前記ロック部は、
前記上部ヘッドに設けられた周壁に揺動可能に支持された揺動レバーと、
前記周壁の内周側で前記下部ヘッドに設けられ、前記揺動レバーの一端側を係止可能な係止突起と、
前記シリンダに固定された補助筒に設けられ、前記周壁の外周側で上方に延びる外周壁と、
前記外周壁に設けられ、前記揺動レバーの他端側が乗り越え可能な係合突起とを備える、前記６の吐出ポンプ。
【００１３】
８．前記ロック部は、
前記上部ヘッドに設けられた周壁の外周面に形成された段部と、
前記下部ヘッドに設けられ、前記周壁の下方で該周壁の内周側から外周側に向けて延びると共に上方への屈曲時に前記段部に係止される係止片と、
前記シリンダに固定された補助筒に設けられ、前記周壁の外周側で上方に延びると共に、上方に屈曲した前記係止片が摺動可能な外周壁とを備える、前記６の吐出ポンプ。
【発明の効果】
【００１４】
本発明によれば、押下げヘッドの押下げによってステムから送り込まれる内溶液を貯留室に加圧下に収容し、この収容した内溶液を押下げヘッドの上昇時にノズルから吐出させることができる。
【００１５】
したがって、本発明によれば、吐出させた内溶液を両手で受け取れる押下げヘッド式の吐出ポンプを提供することができる。
【図面の簡単な説明】
【００１６】
【図１】本発明の一実施形態に係る吐出ポンプの正面視での半断面図であり、使用開始前の収納状態を示す。
【図２】図１の吐出ポンプの側面視での一部断面図であり、押下げヘッドの押下げ時の状態を示す。
【図３】図１の吐出ポンプの側面視での一部断面図であり、押下げヘッドの上昇時の状態を示す。
【図４】図１の吐出ポンプの変形例を示す正面視での半断面図であり、使用開始前の収納状態を示す。
【図５】本発明の他の実施形態に係る吐出ポンプの側面視での一部断面図であり、押下げヘッドの押下げ開始前の状態を示す。
【図６】（ａ）は、図５の吐出ポンプの側面視での一部断面図であって押下げヘッドの押下げ終了時の状態を示し、（ｂ）は、（ａ）の一部拡大図であって押下げヘッドの押下げ開始時の状態を示し、（ｃ）は、（ａ）の一部拡大図であって押下げヘッドの押下げ終了時の状態を示す。
【図７】（ａ）は、図５の吐出ポンプの側面視での一部断面図であって押下げヘッドの上昇終了時の状態を示し、（ｂ）は、（ａ）の一部拡大図であって押下げヘッドの上昇終了間際の状態を示す。
【図８】図５の吐出ポンプの変形例を示す側面視での一部断面図であり、押下げヘッドの押下げ開始前の状態を示す。
【図９】（ａ）は、本発明の更なる他の実施形態に係る吐出ポンプの側面視での一部断面図であり、押下げヘッドの押下げ開始前の状態を示し、（ｂ）は、（ａ）の一部拡大図である。
【図１０】（ａ）は、図９の吐出ポンプの側面視での一部断面図であって押下げヘッドの押下げ終了時の状態を示し、（ｂ）は、（ａ）の一部拡大図である。
【図１１】（ａ）は、図９の吐出ポンプの側面視での一部断面図であって押下げヘッドの上昇終了時の状態を示し、（ｂ）は、（ａ）の一部拡大図であって押下げヘッドの上昇終了間際の状態を示す。
【発明を実施するための形態】
【００１７】
以下、図１〜図３を参照して、本発明の一実施形態に係る吐出ポンプ１００について詳細に例示説明する。
なお、本明細書において、上下方向とはシリンダ１の中心軸線Ｏに沿う方向を意味し、上方とはシリンダ１に対して押下げヘッド３が配置される側（例えば図１における上方）であり、下方とはその反対側である。また、シリンダ１の中心軸線Ｏに対してノズル１０ｇが位置する側を前方とし、その反対側を後方とする。さらに、前方から後方に向かって見たときの左右方向を側方とする。
【００１８】
図１に示すように、本実施形態に係る吐出ポンプ１００は、シリンダ１と、ステム２と、押下げヘッド３とを備えている。シリンダ１は、装着筒４によって、内容液を収容する容器（図示省略）の口部に固定されている。また、シリンダ１の下部内周側には座面１ａが形成されており、この座面１ａに着座可能な弾性弁５ａを有する弁体５が配置されている。
【００１９】
弁体５とステム２との間には、ステム２を上方に付勢する付勢部材（本実施形態ではコイルばね）６が配置されている。ステム２は、シリンダ１内を上下に摺動可能な環状のピストン２ａと、ピストン２ａの内周側から上方に延びる筒状のステム本体２ｂとを有している。本実施形態では、ステム本体２ｂの内周面に内溶液が下方に逆流するのを阻止する逆止弁（本実施形態ではボール弁）７が形成されている。シリンダ１の上部には、ステム２の抜け出しを阻止する補助筒８が固定されている。なお、補助筒８はアンダーカットによりシリンダ１に嵌合されており、また、回り止め用の縦リブ及び縦溝を介してシリンダ１に接続している。
【００２０】
ステム２の上部には押下げヘッド３が取り付けられている。押下げヘッド３は、ステム２の上部に連結する下部ヘッド９と、下部ヘッド９に対して上下に移動可能に取り付けられる上部ヘッド１０と、スライダ１１とを備えている。
【００２１】
下部ヘッド９は、ステム２の上部に嵌合する下筒９ａを備えている。下筒９ａの上端には円板状の底壁９ｂが連なっている。底壁９ｂの中央には柱状体９ｃが立設され、柱状体９ｃの外周部には、底壁９ｂを貫通してステム２の内部に連通する複数の貫通孔９ｄが間欠状に周設されている。さらにその外周側には、底壁９ｂから上方に延びる筒壁９ｅが設けられている。また、底壁９ｂの外周縁には、環状壁９ｆが垂設されている。環状壁９ｆの内周面には、補助筒８の外周面に形成された雄ねじ部８ａに螺合可能な雌ねじ部９ｇが形成されている。押下げヘッド３を押下げ、これら雄ねじ部８ａ及び雌ねじ部９ｇを螺合させておくことで、吐出ポンプ１００をコンパクトな収納状態にしておくことができ、また、運搬時等に内溶液の意図しない吐出が生じるのを防止できる。
【００２２】
上部ヘッド１０は、下部ヘッド９の筒壁９ｅの外周面に対して上方への抜け出し不能に係合する周壁１０ａと、周壁１０ａの上端部に連なる円板状の天壁１０ｂとを備えている。周壁１０ａの内周面下部には、下部ヘッド９の筒壁９ｅの外周面下部に突設された環状突起９ｈと係合可能な環状突起１０ｃが形成されている。また、天壁１０ｂには、周壁１０ａに沿って複数の貫通孔１０ｄが間欠状に周設されており、筒壁９ｅの上端縁には、これら貫通孔１０ｄに挿入可能な延長部９ｉが間欠状に周設されている。各延長部９ｉには外周側に突起９ｊが形成されており、周壁１０ａの内周面上部には、これら突起９ｊに係合可能な突起１０ｅが形成されている。なお、前述した環状突起９ｈ，１０ｃは、互いに係合可能であれば間欠状に周設してもよい。
【００２３】
上部ヘッド１０の天壁１０ｂには、周壁１０ａの内周側で垂下する筒状のガイド壁１０ｆが設けられている。ガイド壁１０ｆは、下部ヘッド９の筒壁９ｅの上端部内周面に摺接するようになっている。ガイド壁１０ｆの内周側では、ノズル１０ｇに繋がる内溶液の流路を形成する垂下筒１０ｈが天壁１０ｂから垂設されている（図１〜２参照）。図１に示すように、垂下筒１０ｈの上部内周面には縮径部１０ｉが形成され、縮径部１０ｉには、下部ヘッド９の柱状体９ｃの上部に形成された縮径部９ｋが液密に嵌入可能になっている。すなわち、垂下筒１０ｈの縮径部１０ｉは、ノズル１０ｇに繋がる流路を取り囲む環状の弁座を構成し、柱状体９ｃの縮径部９ｋは、当該弁座に着座可能な弁体を構成している。そして、これら弁座及び弁体によって開閉部１２が形成されている。
【００２４】
上部ヘッド１０の垂下筒１０ｈの下部内周面には、スライダ１１の内筒１１ａが上下に摺動可能に嵌入されている。内筒１１ａの内周面と、柱状体９ｃの外周面との間には、内溶液の流路となる環状の隙間が形成されている。また、内筒１１ａの下端部には外向きフランジ１１ｂが連なり、外向きフランジ１１ｂの外周縁は、下部ヘッド９の筒壁９ｅの内周面に上下に摺動可能に嵌入されている。また、外向きフランジ１１ｂの外周縁には、ガイド筒１１ｃが立設されている。外向きフランジ１１ｂと上部ヘッド１０との間には、スライダ１１を下方に付勢する付勢部材（本実施形態ではコイルばね）１３が配置されている。スライダ１１が図１に示す下端位置にあるとき、外向きフランジ１１ｂの内周縁は下部ヘッド９の底壁９ｂと密着することで、内溶液の通過を阻止している。また、スライダ１１が図２に示すように上昇したとき、スライダ１１と下部ヘッド９とによって貯留室１４が形成される。より具体的には、貯留室１４は、外向きフランジ１１ｂの下面、筒壁９ｅの内周面、底壁９ｂの上面、及び柱状体９ｃの外周面によって区画されている。
【００２５】
かかる構成によれば、以下の要領で内溶液を吐出させることができる。まず、図１に示した収納状態で、押下げヘッド３を回転させて下部ヘッド９と補助筒８との螺合を外すと、ステム２及び押下げヘッド３が付勢部材６によって上昇する。この状態から押下げヘッド３を押下げると、直接押される上部ヘッド１０が下部ヘッド９に対して下方に移動し、垂下筒１０ｈの縮径部１０ｉ（弁座）に柱状体９ｃの縮径部９ｋ（弁体）が着座し、貯留室１４とノズル１０ｇとの連通が遮断される。そして、図２に示すように、前回のステム２の上昇によってシリンダ１内に吸い上げられていた内溶液が、ステム２を通じて押下げヘッド３に流入し、スライダ１１を下方への付勢力に抗して押し上げ、貯留室１４を形成する。すなわち、ステム２から送り込まれる内溶液は、貯留室１４に加圧下に収容される。
【００２６】
押下げヘッド３の押下げを止めると、貯留室１４内の圧力により上部ヘッド１０が下部ヘッド９に対して上方に移動し、貯留室１４とノズル１０ｇとの連通の遮断が開放される。したがって、図３に示すように、押下げヘッド３が上昇しながらノズル１０ｇから内溶液が吐出される。
【００２７】
このように、本実施形態に係る吐出ポンプ１００では、押下げヘッド３の押下げ時には内溶液の吐出を阻止する一方、押下げヘッド３の上昇時に内溶液を吐出させることができるため、押下げヘッド３を押下げた手を、ノズル側に移動させて内溶液を受け取ることができる。そのため、内溶液を両手で受け取ることも可能となる。好ましい内溶液としては、特にアルコール消毒液が挙げられるが、これに限らず、例えば化粧料、液体石鹸など、種々の液体を内溶液とすることができる。
【００２８】
以上説明したように、本実施形態に係る吐出ポンプ１００は、内容液を収容する容器の口部に固定されるシリンダ１と、該シリンダ１内を上方付勢状態で上下に摺動可能なピストン２ａを有するステム２と、該ステム２の上部に連結し、ステム２を通じて吸い上げた内溶液をノズル１０ｇから吐出させる押下げヘッド３とを備え、押下げヘッド３は、該押下げヘッド３の押下げによってステム２から送り込まれる内溶液を加圧下に収容し、該収容した内溶液を押下げヘッド３の上昇時にノズル１０ｇから吐出させる貯留室１４を備えるという構成になっている。
【００２９】
また、本実施形態に係る吐出ポンプ１００は、押下げヘッド３は、該押下げヘッド３の押下げ時に貯留室１４とノズル１０ｇとの連通を遮断する一方、押下げヘッド３の上昇時に前記遮断を開放する開閉部１２を備えるという構成になっている。したがって、本実施形態によれば、簡単な構成によって、内溶液を押下げヘッド３の押下げ時に貯留室１４に収容し、押下げヘッド３の上昇時に吐出させることが可能になる。
【００３０】
また、本実施形態に係る吐出ポンプ１００は、押下げヘッド３は、ステム２に連結する下部ヘッド９と、ノズル１０ｇを有し下部ヘッド９に対して上下に移動可能に取り付けられる上部ヘッド１０とを備え、上部ヘッド１０は、ノズル１０ｇに繋がる流路を取り囲む環状の弁座（縮径部１０ｉ）を有し、下部ヘッド９は、前記弁座に着座可能な弁体（縮径部９ｋ）を有し、上部ヘッド１０の前記弁座と下部ヘッド９の前記弁体とによって開閉部１２が形成されているという構成になっている。したがって、本実施形態によれば、簡単な構成によって、開閉部１２を形成することができる。
【００３１】
さらに、本実施形態に係る吐出ポンプ１００は、押下げヘッド３は、下部ヘッド９に形成された筒壁９ｅに対して下方付勢状態で上下に摺動可能なスライダ１１を備え、下部ヘッド９とスライダ１１とによって貯留室１４が形成されているという構成になっている。したがって、本実施形態によれば、簡単な構成によって、貯留室１４を形成することができる。
【００３２】
また、本実施形態に係る吐出ポンプ１００は、内溶液の逆流を防止する逆止弁７をステム２に設けていたが、これに代え、例えば図４に符号７’で示すように、下部ヘッド９’に設けてもよい。なお、この場合、下部ヘッド９’は、柱状体９ｃと底壁９ｂの一部とを、残りの部分と別体に構成することが好ましい。このように、吐出ポンプ１００’を、下部ヘッド９’が、貯留室１４（前掲図３参照）に送り込まれた内溶液がステム２’に逆流するのを阻止する逆止弁７’を備える構成とした場合には、下部ヘッド９’単独で貯留室１４の蓄圧機能検査を行えるという利点がある。
【００３３】
次に、図５〜図７を参照して、本発明の他の実施形態に係る吐出ポンプ１０１について詳細に例示説明する。本実施形態に係る吐出ポンプ１０１は、押下げヘッド２０の上昇終了間際に初めて内溶液を吐出させるように構成している。すなわち、本実施形態に係る吐出ポンプ１０１は、図１〜図３を用いて説明した実施形態の場合と比べると、図５に示すように、上部ヘッド２１の周壁２１ａの構成、下部ヘッド２２の筒壁２２ｅの下部外周面の構成、及び補助筒２３の構成が異なり、その他の構成は同一になっている。
【００３４】
具体的には、以下のとおりである。上部ヘッド２１の周壁２１ａには、周方向に等間隔で配置された４つの揺動レバー２１ｊが設けられている。なお、揺動レバー２１ｊは少なくとも１つ設ければよく、その個数は適宜変更することができる。各揺動レバー２１ｊは上下方向中央に配置された一対の連結部２１ｊ１を介して周壁２１ａに連結している。揺動レバー２１ｊの上端側には、内周側に突出する突起２１ｊ２が形成されている。また、揺動レバー２１ｊの下端側には、外周側に突出する突起２１ｊ３が形成されている。
【００３５】
また、下部ヘッド２２の筒壁２２ｅの下部外周面には、揺動レバー２１ｊの上端側の突起２１ｊ２を係止可能な係止突起２２ｌが形成されている。なお、係止突起２２ｌは、本実施形態では環状をなす１つの突起として構成されているが、揺動レバー２１ｊの上端側の突起２１ｊ２を係止可能であれば周方向に間欠状に設けてもよい。
【００３６】
さらに、補助筒２３には、周壁２１ａの外周側で上方に延びる外周壁２３ｂが設けられている。外周壁２３ｂの内周面には、揺動レバー２１ｊの下端側の突起２１ｊ３が乗り越え可能な係合突起２３ｃが形成されている。なお、図１〜図３を用いて説明した実施形態では設けていた、下部ヘッド９の筒壁９ｅの下端部外周側の環状壁９ｆは、本実施形態では設けられていない。
【００３７】
かかる構成によれば、図５に示した状態から押下げヘッド２０を押し下げると、図６（ｂ）に示すように、揺動レバー２１ｊの上端側の突起２１ｊ２が、筒壁２２ｅの係止突起２２ｌを下方に乗り越える。このとき、揺動レバー２１ｊの突起２１ｊ２の下面と、筒壁２２ｅの係止突起２２ｌの上面とはテーパ状に形成されているため、乗り越えがスムーズとなる。そして、この乗り越えにより、図６（ｃ）に示すように揺動レバー２１ｊの突起２１ｊ２が筒壁２２ｅの係止突起２２ｌに係止されると、上部ヘッド２１が下部ヘッド２２に固定されて、下部ヘッド２２の弁体（縮径部２２ｋ）が上部ヘッド２１の弁座（縮径部２１ｉ）に着座した状態が維持される（図６（ａ）参照）。そして、この状態は押下げヘッド２０の上昇終了間際まで維持される。
【００３８】
押下げヘッド２０の上昇終了間際には、図７（ｂ）に示すように、揺動レバー２１ｊの下端側の突起２１ｊ３が外周壁２３ｂの係合突起２３ｃを乗り越えることで、揺動レバー２１ｊが揺動し、揺動レバー２１ｊの上端側の突起２１ｊ２と筒壁２２ｅの係止突起２２ｌとの係合が解除される。したがって、図７（ａ）に示すように、貯留室１４の内溶液の圧力によって上部ヘッド２１が下部ヘッド２２に対して上昇し、内溶液がノズル２１ｇから吐出される。なお、内溶液を吐出させるタイミングは、外周壁２３ｂに係合突起２３ｃを設ける高さ位置によって調整することができる。
【００３９】
このように、本実施形態に係る吐出ポンプ１０１は、押下げヘッド２０の上昇開始から上昇終了までの少なくとも前半（より具体的には上昇終了間際まで）は、上部ヘッド２１を下部ヘッド２２に固定して下部ヘッド２２の弁体（縮径部２２ｋ）が上部ヘッド２１の弁座（縮径部２１ｉ）に着座した状態を維持する一方、押下げヘッド２０の上昇終了までに前記固定を解除するロック部２４を有するという構成になっている。したがって、本実施形態によれば、内溶液を吐出させるタイミングを、押下げヘッド２０の上昇開始から上昇終了までの後半（より具体的には上昇終了間際）まで遅らせられるので、内溶液をより容易に両手で受け取れるようにすることができる。
【００４０】
また、本実施形態に係る吐出ポンプ１０１は、ロック部２４が、上部ヘッド２１に設けられた周壁２１ａに揺動可能に支持された揺動レバー２１ｊと、周壁２１ａの内周側で下部ヘッド２２に設けられ、揺動レバー２１ｊの一端側を係止可能な係止突起２２ｌと、シリンダ１に固定された補助筒２３に設けられ、周壁２１ａの外周側で上方に延びる外周壁２３ｂと、外周壁２３ｂに設けられ、揺動レバー２１ｊの他端側が乗り越え可能な係合突起２３ｃとを備えるという構成になっている。したがって、本実施形態によれば、簡単な構成によって、ロック部２４を形成することができる。
【００４１】
なお、この実施形態の場合も、図４を用いて説明した実施形態の場合と同様に、図８に示すように、吐出ポンプ１０１’を、下部ヘッド２２’が、貯留室１４（前掲図７参照）に送り込まれた内溶液がステム２’に逆流するのを阻止する逆止弁７’を備える構成とすることができる。
【００４２】
次に、図９〜図１１を参照して、本発明の更なる他の実施形態に係る吐出ポンプ１０２について詳細に例示説明する。本実施形態では、図５〜図７を用いて説明した実施形態の場合と同様に、押下げヘッド３０の上昇終了間際に初めて内溶液を吐出させるように構成しているが、その具体的な構成が異なっている。すなわち、本実施形態に係る吐出ポンプ１０２は、図５〜図７を用いて説明した実施形態の場合と比べると、図９に示すように、上部ヘッド３１の周壁３１ａの構成、下部ヘッド３２の筒壁３２ｅの下部外周面の構成、及び補助筒３３の構成が異なり、その他の構成は同一になっている。
【００４３】
具体的には、以下のとおりである。上部ヘッド３１の周壁３１ａの外周面には環状の段部３１ｋが設けられている。また、下部ヘッド３２の筒壁３２ｅの下部外周面には、周壁３１ａの下方で該周壁３１ａの内周側から外周側に向けて延びる環状の係止片３２ｍが形成されている。係止片３２ｍは、周方向中間部に環状の薄肉部からなる屈曲部３２ｍ１を有しており、この屈曲部３２ｍ１で屈曲することで、先端側部分３２ｍ２が段部３１ｋに係止されるようになっている（図１０（ｂ）参照）。係止片３２ｍ及び段部３１ｋは、互いに係合可能であれば、周方向に間欠的に形成してもよい。なお、係止片３２ｍの上面には、周壁３１ａが弾性変形によって内周側に変位するのを防止するための複数の縦リブ３２ｎが周方向に間隔を空けて配置されている。
【００４４】
さらに、補助筒３３には、周壁３１ａの外周側で上方に延びる外周壁３３ｂが設けられている。外周壁３３ｂの内周面には、図１０（ｂ）に示すように、上方に屈曲した係止片３２ｍが摺動するようになっている。また、外周壁３３ｂの上端部には、図９（ｂ）に示したように、押下げヘッド３０が上昇端位置にあるときに、非屈曲状態の係止片３２ｍの先端側部分３２ｍ２を収容する段差部３３ｂ１が形成されている。
【００４５】
かかる構成によれば、図９に示した状態から押下げヘッド３０を押し下げると、図１０に示すように、係止片３２ｍと段部３１ｋとが係合する。そして、この係合により、上部ヘッド３１が下部ヘッド３２に固定されて、下部ヘッド３２の弁体（縮径部３２ｋ）が上部ヘッド３１の弁座（縮径部３１ｉ）に着座した状態が維持される。そして、この状態は押下げヘッド３０の上昇終了間際まで維持される。
【００４６】
押下げヘッド３０の上昇終了間際には、図１１（ｂ）に示すように係止片３２ｍが屈曲変形から復帰して段部３１ｋから外れ、図１１（ａ）に示すように、貯留室１４の内溶液の圧力によって上部ヘッド３１が下部ヘッド３２に対して上昇し、内溶液がノズル３１ｇから吐出される。なお、内溶液を吐出させるタイミングは、例えば外周壁３３ｂに設ける段差部３３ｂ１の深さを調整することで、変更することができる。
【００４７】
このように、本実施形態に係る吐出ポンプ１０２は、図５〜図７を用いて説明した実施形態の場合と同様に、押下げヘッド３０の上昇開始から上昇終了までの少なくとも前半（より具体的には上昇終了間際まで）は、上部ヘッド３１を下部ヘッド３２に固定して下部ヘッド３２の弁体（縮径部３２ｋ）が上部ヘッド３１の弁座（縮径部３１ｉ）に着座した状態を維持する一方、押下げヘッド３０の上昇終了までに前記固定を解除するロック部３４を有するという構成になっている。したがって、本実施形態の場合も、内溶液をより容易に両手で受け取ることが可能となる。
【００４８】
また、本実施形態に係る吐出ポンプ１０２は、ロック部３４が、上部ヘッド３１に設けられた周壁３１ａの外周面に形成された段部３１ｋと、下部ヘッド３２に設けられ、周壁３１ａの下方で該周壁３１ａの内周側から外周側に向けて延びると共に上方への屈曲時に段部３１ｋに係止される係止片３２ｍと、シリンダ１に固定された補助筒３３に設けられ、周壁３１ａの外周側で上方に延びると共に、上方に屈曲した係止片３２ｍが摺動可能な外周壁３３ｂとを備えるという構成になっている。したがって、本実施形態によれば、簡単な構成によって、ロック部３４を形成することができる。
【００４９】
なお、この実施形態の場合も、図８を用いて説明した実施形態の場合と同様に、下部ヘッド３２が、貯留室１４に送り込まれた内溶液がステム２’（前掲図８参照）に逆流するのを阻止する逆止弁７’（前掲図８参照）を備える構成とすることができる。
【００５０】
前述したところは本発明の一実施形態を示したにすぎず、特許請求の範囲において、種々の変更を加えてもよいことは言うまでもない。
【符号の説明】
【００５１】
１  シリンダ
１ａ  座面
２，２’  ステム
２ａ  ピストン
２ｂ  ステム本体
３  押下げヘッド
４  装着筒
５  弁体
５ａ  弾性弁
６  付勢部材
７，７’  逆止弁
８  補助筒
８ａ  雄ねじ部
９，９’  下部ヘッド
９ａ  下筒
９ｂ  底壁
９ｃ  柱状体
９ｄ  貫通孔
９ｅ  筒壁
９ｆ  環状壁
９ｇ  雌ねじ部
９ｈ  環状突起
９ｉ  延長部
９ｊ  突起
９ｋ  縮径部
１０  上部ヘッド
１０ａ  周壁
１０ｂ  天壁
１０ｃ  環状突起
１０ｄ  貫通孔
１０ｅ  突起
１０ｆ  ガイド壁
１０ｇ  ノズル
１０ｈ  垂下筒
１０ｉ  縮径部
１１  スライダ
１１ａ  内筒
１１ｂ  外向きフランジ
１１ｃ  ガイド筒
１２  開閉部
１３  付勢部材
１４  貯留室
２０  押下げヘッド
２１  上部ヘッド
２１ａ  周壁
２１ｉ  縮径部
２１ｊ  揺動レバー
２１ｊ１  連結部
２１ｊ２  突起
２１ｊ３  突起
２２，２２’  下部ヘッド
２２ｅ  筒壁
２１ｇ  ノズル
２２ｋ  縮径部
２２ｌ  係止突起
２３  補助筒
２３ｂ  外周壁
２３ｃ  係合突起
２４  ロック部
３０  押下げヘッド
３１  上部ヘッド
３１ａ  周壁
３１ｇ  ノズル
３１ｉ  縮径部
３１ｋ  段部
３２  下部ヘッド
３２ｅ  筒壁
３２ｋ  縮径部
３２ｍ  係止片
３２ｍ１  屈曲部
３２ｍ２  先端側部分
３２ｎ  縦リブ
３３  補助筒
３３ｂ  外周壁
３３ｂ１  段差部
３４  ロック部
１００，１００’，１０１，１０１’，１０２  吐出ポンプ
Ｏ  軸線
【図１】
0006602184.tif 000002
【図２】
0006602184.tif 000003
【図３】
0006602184.tif 000004
【図４】
0006602184.tif 000005
【図５】
0006602184.tif 000006
【図６】
0006602184.tif 000007
【図７】
0006602184.tif 000008
【図８】
0006602184.tif 000009
【図９】
0006602184.tif 000010
【図１０】
0006602184.tif 000011
【図１１】
0006602184.tif 000012